(57)【要約】【課題】ＮＦＣコイルでもって安定して他の機器との間で近距離無線通信する。内蔵電池を安定して充電する。【解決手段】携帯機器は、無接点充電台３０にセットされて、無接点充電台３０から電力搬送される電力で充電される内蔵電池２を装備するパック電池１０と、近距離無線通信用のＮＦＣコイル３と、このＮＦＣコイル３に接続してなる近距離無線通信回路４とを備える。パック電池１０は、無接点充電台３０の送電コイル３１に電磁結合される受電コイル１と、この受電コイル１に誘導される電力で充電される内蔵電池２と、近距離無線通信用のＮＦＣコイル３とを内蔵している。【選択図】図５
2014087188.tif 000002
【特許請求の範囲】
【請求項１】
無接点充電台(30)にセットされて、無接点充電台(30)から電力搬送される電力で充電される内蔵電池(2)を装備するパック電池(10)と、近距離無線通信用のＮＦＣコイル(3)と、このＮＦＣコイル(3)に接続してなる近距離無線通信回路(4)とを備える携帯機器であって、
前記パック電池(10)に、無接点充電台(30)の送電コイル(31)に電磁結合される受電コイル(1)と、この受電コイル(1)に誘導される電力で充電される内蔵電池(2)と、前記近距離無線通信用のＮＦＣコイル(3)とを内蔵させてなることを特徴とする携帯機器。
【請求項２】
前記パック電池(10)に内蔵される内蔵電池(2)が薄型電池(2A)で、前記ＮＦＣコイル(3)が平面状のループコイル(3A)であって、前記受電コイル(1)が、ループコイル(3A)であるＮＦＣコイル(3)の内形よりも外形を小さくしてなる平面コイル(1A)であって、
前記内蔵電池(2)である薄型電池(2A)の表面側に、ループコイル(3A)のＮＦＣコイル(3)が固定され、かつ前記薄型電池(2A)の表面側であって、前記ループコイル(3A)の内側に前記受電コイル(1)である平面コイル(1A)を配置してなる請求項１に記載される携帯機器。
【請求項３】
前記受電コイル(1)の平面コイル(1A)と、ＮＦＣコイル(3)のループコイル(3A)が、前記内蔵電池(2)である薄型電池(2A)の表面側に同一平面に固定されてなる請求項１又は２に記載される携帯機器。
【請求項４】
前記ＮＦＣコイル(3)のループコイル(3A)の外形が、前記内蔵電池(2)である薄型電池(2A)の表面側の外形よりも小さい請求項１ないし３のいずれかに記載される携帯機器。
【請求項５】
前記ＮＦＣコイル(3)であるループコイル(3A)の内周縁と前記受電コイル(1)の外周縁との間に、１ｍｍ以上の隙間(12)を設けてなる請求項１ないし４のいずれかに記載される携帯機器。
【請求項６】
前記ＮＦＣコイル(3)のループコイル(3A)と前記内蔵電池(2)である薄型電池(2A)の表面側との間に磁性シート(13)を配置してなる請求項１ないし５のいずれかに記載される携帯機器。
【請求項７】
前記受電コイル(1)の平面コイル(1A)と前記内蔵電池(2)である薄型電池(2A)の表面側との間に磁性シート(11)を配置してなる請求項１ないし６のいずれかに記載される携帯機器。
【請求項８】
前記ＮＦＣコイル(3)が、フレキシブル基板(14)の表面にコイルを固定してなるループコイル(3A)である請求項１ないし７のいずれかに記載される携帯機器。
【請求項９】
前記内蔵電池(2)である薄型電池(2A)の表面をカバーするホルダー(8)を備え、該ホルダー(8)は、前記薄型電池(2A)の平面部(2a)の外周部に固定される四角形の枠部(8A)を有しており、
さらに、前記受電コイル(1)は、前記ＮＦＣコイル(3)よりも厚く成形されており、
前記薄型電池(2A)の平面部(2a)に、前記ホルダー(8)の枠部(8A)と磁性シート(13)を介して前記ＮＦＣコイル(3)を固定し、前記枠部(8A)の内側に磁性シート(11)を介して前記受電コイル(1)を固定して、該受電コイル(1)の表面と該ＮＦＣコイル(3)の表面とを同一平面状に配置してなる請求項１ないし８のいずれかに記載される携帯機器。
【請求項１０】
前記ＮＦＣコイル(3)のループコイル(3A)と、前記受電コイル(1)の平面コイル(1A)の両方が、前記内蔵電池(2)である薄型電池(2A)に接着して固定されてなる請求項１ないし９のいずれかに記載される携帯機器。
【請求項１１】
前記パック電池(10)が携帯機器本体(20)に収納され、前記ＮＦＣコイル(3)が携帯機器本体(20)の背面側に配置されてなる請求項１ないし１０のいずれかに記載される携帯機器。
【請求項１２】
前記パック電池(10)が脱着自在に前記携帯機器本体(20)にセットされてなる請求項１１に記載される携帯機器。
【請求項１３】
無接点充電台(30)にセットされる携帯機器(100)に設けられて、携帯機器(100)に動作電力を供給すると共に、前記無接点充電台(30)から電力搬送される電力で充電される内蔵電池(2)と、前記無接点充電台(30)に設けている送電コイル(31)から送電される電力が誘導される受電コイル(1)と、この受電コイル(1)に誘導される電力で前記内蔵電池(2)を充電する充電回路(5)とを備えるパック電池(10)であって、
他の機器との間で近距離無線通信するためのＮＦＣコイル(3)を備えることを特徴とするパック電池。
【発明の詳細な説明】
【技術分野】
【０００１】
本発明は、無接点充電台にセットされて、内蔵しているパック電池を充電するようにしてなる携帯機器とこれに内蔵されるパック電池に関し、とくに、近距離無線通信回路を内蔵してなる携帯機器とこれに内蔵されるパック電池に関する。
【背景技術】
【０００２】
フェリカなどの近距離無線通信（Near Field Communication）機能を装備する携帯機器は開発されている。この携帯機器は、カード等のように規格毎に異なる装置を使用することなく通信して便利に使用できる。近距離無線通信機能を備える携帯機器は、他の機器に近づけるだけて、１３．５６ＭＨｚの電波を使用して、１０ｃｍ程度の近距離で１００〜４００ｋｂｐｓの双方向の通信を行うことできる。この種の携帯機器は、外部の機器と通信するためのアンテナの作用をするコイル、すなわちＮＦＣ（Near Field Communication）コイルを内蔵している。（特許文献１参照）
【０００３】
従来の携帯機器は、ＮＦＣコイルを外装ケースの内部に配置し、あるいはパック電池を脱着自在にセットする収納部の開閉蓋に設けている。ＮＦＣコイルを開閉蓋に設けている携帯機器は、ＮＦＣコイルを外装ケースの背面に配置できるので、背面を外部の通信機器に近づけることで、ＮＦＣコイルを接近させて効率よく通信できる。
【先行技術文献】
【特許文献】
【０００４】
【特許文献１】特開２０１０−１１９００３号公報
【発明の概要】
【発明が解決しようとする課題】
【０００５】
しかしながら、この携帯機器は、無接点充電台に載せて無接点充電する機器に使用すると、種々の弊害が発生する。それは、無接点充電台にセットして電源のパック電池を充電する携帯機器は、無接点充電台に電磁結合される受電コイルをパック電池に内蔵しているために、この受電コイルとＮＦＣコイルとの相対位置から種々の弊害が発生するからである。
【０００６】
本発明は、以上の欠点を解決することを目的に開発されたものである。本発明の重要な目的は、ＮＦＣコイルでもって安定して他の機器との間で近距離無線通信できると共に、内蔵電池を安定して充電できる携帯機器とこれに内蔵されるパック電池を提供することにある。
【課題を解決するための手段及び発明の効果】
【０００７】
本発明の携帯機器は、無接点充電台３０にセットされて、無接点充電台３０から電力搬送される電力で充電される内蔵電池２を装備するパック電池１０と、近距離無線通信用のＮＦＣコイル３と、このＮＦＣコイル３に接続してなる近距離無線通信回路４とを備える。パック電池１０は、無接点充電台３０の送電コイル３１に電磁結合される受電コイル１と、この受電コイル１に誘導される電力で充電される内蔵電池２と、近距離無線通信用のＮＦＣコイル３とを内蔵している。
【０００８】
以上の携帯機器は、ＮＦＣコイルでもって安定して他の機器との間で近距離無線通信できる特徴がある。それは、以上の携帯機器が、ＮＦＣコイルを受電コイルを内蔵するパック電池に内蔵しているからである。ＮＦＣコイルと受電コイルをパック電池に内蔵する構造は、ＮＦＣコイルと受電コイルとの相対位置がずれないように配置できる。両方をパック電池に内蔵しているからである。相対位置がずれないＮＦＣコイルと受電コイルは、常に干渉しない位置に固定できる。したがって、ＮＦＣコイルのＳＮ比を常に一定に保持して、安定な通信を実現できる。送電コイルから受電コイルに電力搬送される交流信号は、近距離無線通信において雑音となる。このため、受電コイルに誘導される交流信号がＮＦＣコイルに高いレベルで誘導されると、雑音が大きくなってＳＮ比が低下する。しかしながら、以上の携帯機器は、パック電池にＮＦＣコイルと受電コイルの両方を固定するので、ＮＦＣコイルと受電コイルとの相対位置を、受電コイルに誘導される交流信号がＮＦＣコイルに与える影響の少ない位置に配置できる。すなわち、受電コイルに誘導される交流信号の雑音がＮＦＣコイルのＳＮ比を低下させない位置にＮＦＣコイルを配置できる。また、ＮＦＣコイルと受電コイルの両方をパック電池に設けるので、ＮＦＣコイルを開閉蓋に設ける携帯機器のように、開閉蓋の位置がずれて受電コイルとの相対位置が変化することがなく、常にＮＦＣコイルのＳＮ比を大きくして、安定した近距離無線通信を実現する。
【０００９】
本発明の携帯機器は、パック電池１０に内蔵される内蔵電池２を薄型電池２Ａとして、ＮＦＣコイル３を平面状のループコイル３Ａとし、さらに、受電コイル１をＮＦＣコイル３の内形よりも外形を小さくしてなる平面コイル１Ａとして、内蔵電池２である薄型電池２Ａの表面側に、ループコイル３ＡのＮＦＣコイル３を固定し、かつ薄型電池２Ａの表面側であって、ループコイル３Ａの内側に受電コイル１の平面コイル１Ａを配置することができる。
【００１０】
以上の携帯機器は、ＮＦＣコイルと受電コイルとを互いに干渉の少ない位置に配置しながら、ＮＦＣコイルと受電コイルとをスペース効率よくパック電池の定位置に内蔵できる。また、ＮＦＣコイルは、他の機器との近距離無線通信におけるＳＮ比を大きくでき、受電コイルは、送電コイルから効率よく電力搬送できる理想的な位置に配置できる。
【００１１】
本発明の携帯機器は、受電コイル１の平面コイル１Ａと、ＮＦＣコイル３のループコイル３Ａを、内蔵電池２である薄型電池２Ａの表面側に同一平面に固定することができる。
この携帯機器は、ＮＦＣコイルのＳＮ比をより大きく、受電コイルの電力搬送をより効率よくできる特徴がある。
【００１２】
本発明の携帯機器は、ＮＦＣコイル３であるループコイル３Ａの外形を、内蔵電池２である薄型電池２Ａの表面側の外形よりも小さくすることができる。
この携帯機器は、ＮＦＣコイルが薄型電池からはみ出すことなく、よりスペース効率よくパック電池に収納できる。
【００１３】
本発明の携帯機器は、ＮＦＣコイル３であるループコイル３Ａの内周縁と受電コイル１の外周縁との間に、１ｍｍ以上の隙間１２を設けることができる。
この携帯機器は、ＮＦＣコイルのＳＮ比をより大きくして、より安定な近距離無線通信を実現する。
【００１４】
本発明の携帯機器は、ＮＦＣコイル３のループコイル３Ａと内蔵電池２である薄型電池２Ａの表面側との間に磁性シート１３を配置することができる。
この携帯機器は、磁性シートによってＮＦＣコイルのアンテナとして効率を高くして、より安定な近距離無線通信を実現する。
【００１５】
本発明の携帯機器は、受電コイル１の平面コイル１Ａと内蔵電池２である薄型電池２Ａの表面側との間に磁性シート１１を配置することができる。
この携帯機器は、磁性シートによって、送電コイルから送電される電力を効率よく受電コイルに送電できる。
【００１６】
本発明の携帯機器は、ＮＦＣコイル３をフレキシブル基板１４の表面にコイルを固定してなるループコイル３Ａとすることができる。
この携帯機器は、ＮＦＣコイルを簡単かつ容易に、しかも確実に定位置に配置できる。
【００１７】
本発明の携帯機器は、内蔵電池２である薄型電池２Ａの表面をカバーするホルダー８を備えると共に、このホルダー８が、薄型電池２Ａの平面部２ａの外周部に固定される四角形の枠部８Ａを有し、さらに、受電コイル１は、ＮＦＣコイル３よりも厚く成形されており、薄型電池２Ａの平面部２ａに、ホルダー８の枠部８Ａと磁性シート１３を介してＮＦＣコイル３を固定し、枠部８Ａの内側に磁性シート１１を介して受電コイル１を固定して、受電コイル１の表面とＮＦＣコイル３の表面とを同一平面状に配置することができる。
この携帯機器は、薄型電池の平面部の表面に固定されるホルダーの枠部によって、受電コイルとＮＦＣコイルとを正確に位置決めしながら、厚さの異なる受電コイルとＮＦＣコイルの表面を同一平面に配置できる。したがって、受電コイルに、大電流に耐えるように太い導線を使用して、受電コイルをＮＦＣコイルよりも厚くし、あるいは、受電コイルの磁性シートをＮＦＣコイルの磁性シートよりも厚くする構造においても、これらの厚さの違いをホルダーの枠部で吸収して、受電コイルとＮＦＣコイルの表面を同一平面に配置できる。
【００１８】
本発明の携帯機器は、ＮＦＣコイル３のループコイル３Ａと、受電コイル１の平面コイル１Ａの両方を、内蔵電池２である薄型電池２Ａに接着して固定することができる。
この携帯機器は、ＮＦＣコイルと受電コイルの両方を簡単かつ確実に、パック電池の定位置に固定できる。
【００１９】
本発明の携帯機器は、パック電池１０を携帯機器本体２０に収納して、ＮＦＣコイル３を携帯機器本体２０の背面側に配置することができる。
この携帯機器は、携帯機器の背面を他の近距離無線通信の機器に接近することで、より安定して近距離無線通信でき、また背面を下にして無接点充電台に載せて効率よく内蔵電池を充電できる。
【００２０】
本発明の携帯機器は、パック電池１０を脱着自在に携帯機器本体２０にセットする構造にできる。
この携帯機器は、パック電池を脱着して簡単に交換できる構造としながら、ＮＦＣコイルのＳＮ比を高く、かつ受電コイルには効率よく電力搬送できる。パック電池を脱着しても、ＮＦＣコイルと受電コイルの相対位置がずれないからである。
【００２１】
本発明のパック電池は、無接点充電台３０にセットされる携帯機器本体２０に装着されて、携帯機器１００に動作電力を供給すると共に、無接点充電台３０から電力搬送される電力で充電される内蔵電池２と、無接点充電台３０に設けている送電コイル３１から送電される電力が誘導される受電コイル１とを備えている。さらに、このパック電池は、他の機器との間で近距離無線通信するためのＮＦＣコイル３を備えている。
【００２２】
以上のパック電池は、これを携帯機器にセットする状態で、内蔵するＮＦＣコイルで、安定して他の機器との間で近距離無線通信できる特徴がある。それは、以上のパック電池が、ＮＦＣコイルと受電コイルの両方を内蔵するからである。ＮＦＣコイルと受電コイルの両方を内蔵するパック電池は、ＮＦＣコイルと受電コイルとを相対位置がずれないように配置できる。相対位置がずれないＮＦＣコイルと受電コイルは、常に干渉しない位置に固定できる。したがって、ＮＦＣコイルのＳＮ比を常に一定に保持して、安定な通信を実現できる。送電コイルから受電コイルに電力搬送される交流信号は、近距離無線通信において雑音となる。このため、受電コイルに誘導される交流信号がＮＦＣコイルに高いレベルで誘導されると、雑音が大きくなってＳＮ比が低下する。しかしながら、以上のパック電池は、ＮＦＣコイルと受電コイルの両方を配置しているので、ＮＦＣコイルと受電コイルとの相対位置を、受電コイルに誘導される交流信号がＮＦＣコイルに与える影響の少ない配置にできる。すなわち、受電コイルに誘導される交流信号の雑音がＮＦＣコイルのＳＮ比を低下させない位置にＮＦＣコイルを配置できる。また、ＮＦＣコイルと受電コイルの両方を備えるパック電池は、ＮＦＣコイルを開閉蓋に設ける携帯機器のように、開閉蓋の位置がずれて受電コイルとの相対位置が変化することがなく、常にＮＦＣコイルのＳＮ比を大きくして、安定な近距離無線通信を実現する。
【図面の簡単な説明】
【００２３】
【図１】本発明の一実施の形態にかかる携帯機器を無接点充電台にセットする状態を示す概略図である。
【図２】本発明の一実施の形態にかかる携帯機器を近距離無線通信器にセットする状態を示す概略図である。
【図３】本発明の一実施の形態にかかる携帯機器を無接点充電台にセットする状態を示すブロック図である。
【図４】本発明の一実施の形態にかかる携帯機器に内蔵されるパック電池の分解斜視図である。
【図５】図４に示すパック電池をさらに分解した分解斜視図である。
【発明を実施するための形態】
【００２４】
以下、本発明の実施例を図面に基づいて説明する。ただし、以下に示す実施例は、本発明の技術思想を具体化するための携帯機器とこれに内蔵されるパック電池を例示するものであって、本発明は携帯機器とパック電池を以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２５】
図１に示す携帯機器１００は、無接点充電台３０にセットされて、無接点充電台３０から電力搬送される電力で充電される内蔵電池２を装備するパック電池１０と、近距離無線通信用のＮＦＣコイル３と、このＮＦＣコイル３に接続してなる近距離無線通信回路４とを備える。この図の携帯機器１００は、携帯機器本体２０にパック電池１０を脱着できるように装着している。携帯機器本体２０は、パック電池１０をセットする収納部２１をケースの背面側に設けている。パック電池１０は収納部２１にセットされて、接点（図示せず）を介して携帯機器本体２０に接続されて、携帯機器本体２０に電力を供給する。収納部２１は、パック電池１０をセットする状態で、開口部を開閉蓋２２で閉塞する。
【００２６】
携帯機器１００は、図２に示すように、他のフェリカなどの近距離無線通信器４０に近づけて、近距離無線通信する。近距離無線通信器４０は、近距離無線通信用のＮＦＣコイル４３と、このＮＦＣコイル４３に接続してなる近距離無線通信回路４４とを備えている。近距離無線通信は、例えば１３．５６ＭＨｚの搬送波を変調して、１０ｃｍ程度の近距離において１００〜４００ｋｂｐｓで、携帯機器１００と近距離無線通信器４０との間で双方向の通信を行う。
【００２７】
図３のブロック図に示す携帯機器１００は、内蔵電池２を有するパック電池１０に、無接点充電台３０の送電コイル３１に接近されて、送電コイル３１から電力搬送される受電コイル１と、この受電コイル１に誘導される交流電力を内蔵電池２を充電するのに最適な電圧と電流にコントロールする充電回路５と、内蔵電池２が満充電されたことを無接点充電台３０に伝送する伝送回路６とを設けている。この図のパック電池１０は、充電回路５と伝送回路６をパック電池１０に設けているが、充電回路と伝送回路は携帯機器本体に設けることもできる。
【００２８】
このパック電池１０は、受電コイル１に誘導される交流電力を充電回路５で、充電に最適な電圧と電流の直流に変換して内蔵電池２を充電する。内蔵電池２をリチウムイオン二次電池とするパック電池１０は、充電回路５でもって内蔵電池２を定電圧・定電流充電して満充電する。内蔵電池２が満充電されすると、満充電信号を伝送回路６から無接点充電台３０に伝送する。伝送回路６は、満充電信号で受電コイル１の負荷インピーダンスを変化させて、無接点充電台３０に満充電信号を伝送する。この伝送回路６は、図示しないが、受電コイル１の負荷に接続されるコンデンサーとスイッチング素子との直列回路を備え、満充電信号でスイッチング素子をオンオフに切り換えて、満充電信号を無接点充電台３０に伝送する。
【００２９】
無接点充電台３０は、送電コイル３１に交流電力を供給する交流電源３２と、この交流電源３２の出力をコントロールする制御回路３３とを備えている。制御回路３３は、送電コイル３１に接近して受電コイル１がセットされたことを検出すると、交流電源３２から受電コイル１に交流電力を供給する。この状態で、送電コイル３１から受電コイル１に電力搬送されて内蔵電池２が充電される。内蔵電池２が満充電されて、パック電池１０から満充電信号が伝送されると、制御回路３３は、満充電信号を検出して、送電コイル３１への電力供給を停止する。制御回路３３は、送電コイル３１の負荷インピーダンスの変化を検出して、満充電信号を検出する。
【００３０】
以上のパック電池１０は、受電コイル１の負荷インピーダンスの変化で満充電信号を無接点充電台３０に伝送するが、満充電信号は無線伝送して、無接点充電台に伝送することもできる。満充電信号を無線伝送するパック電池は、満充電信号で搬送波を変調する電波を送信する送信器を備え、無接点充電台は電波を受信して、満充電信号を検出する受信器を備える。
【００３１】
さらに、携帯機器１００は、近距離無線通信用のＮＦＣコイル３を設けているが、このＮＦＣコイル３もパック電池１０に設けている。図４と図５は、受電コイル１とＮＦＣコイル３の両方を内蔵するパック電池１０の分解斜視図である。これらの図のパック電池１０は、受電コイル１と、この受電コイル１に誘導される電力で充電される内蔵電池２と、受電コイル１に誘導される交流電力を内蔵電池２の充電電圧に変換して内蔵電池２を充電する充電回路を実装する回路基板７と、ＮＦＣコイル３とを備える。
【００３２】
図５のパック電池１０は、内蔵電池２を外形を四角形とする薄型電池２Ａとして、ＮＦＣコイル３を平面状のループコイル３Ａとし、受電コイル１をループコイル３Ａの内形よりも外形を小さくしている平面コイル１Ａとしている。ＮＦＣコイル３と受電コイル１は、内蔵電池２である薄型電池２Ａの表面側に接着して固定している。図４と図５のパック電池１０は、薄型電池２Ａの表面側（図において上面）に、ループコイル３ＡのＮＦＣコイル３を固定して、ＮＦＣコイル３と同じ表面側であって、ループコイル３Ａの内側に受電コイル１の平面コイル１Ａを接着して固定している。薄型電池２Ａの表面側は、パック電池１０を携帯機器本体２０にセットする状態で、携帯機器本体２０の表面に接近する側である。パック電池１０は携帯機器本体２０の背面にセットされるので、薄型電池２Ａの表面側は、携帯機器本体２０の背面に接近する側の表面となる。
【００３３】
図５のパック電池１０は、プラスチック製のホルダー８を設けて、このホルダー８の定位置に回路基板７を固定している。回路基板７は、充電回路の電子部品（図示せず）と出力端子９とを固定している。ホルダー８は、側面視Ｌ字状に成形されて、薄型電池２Ａの平面部２ａの外周部に配置される四角形の枠部８Ａと、薄型電池２Ａの電極端子面２ｂをカバーする回路基板７の固定部８Ｂとを設けている。四角形の枠部８Ａは、外形を薄型電池２Ａの外形、正確には薄型電池２Ａの平面部２ａの外形にほぼ等しくしている。枠部８Ａの内形は、その内側に、受電コイル１を表面に固定している磁性シート１１を配置できるように、磁性シート１１の外形に等しく、あるいはわずかに大きくしくしている。ホルダー８の枠部８Ａは、薄型電池２Ａの表面に接着して固定され、枠部８Ａの内側には受電コイル１を固定している磁性シート１１を配置して、この磁性シート１１を薄型電池２Ａの表面に接着して固定している。受電コイル１の平面コイル１Ａは磁性シート１１の表面に接着して固定している。磁性シート１１はフェライトシートなどで、送電コイル３１から受電コイル１に効率よく電力搬送すると共に、送電コイル３１の交流磁場から薄型電池２Ａを磁気シールドするシートである。受電コイル１を固定している磁性シート１１は、接着されて薄型電池２Ａの平面部２ａに固定される。
【００３４】
ホルダー８の枠部８Ａは、さらにその表面に、磁性シート１３を介してＮＦＣコイル３を固定している。ＮＦＣコイル３はフレキシブル基板１４に設けられており、このフレキシブル基板１４と薄型電池２Ａとの間に磁性シート１３を配置している。この磁性シート１３もフェライトシート等であって、ＮＦＣコイル３のアンテナ効率を向上させるシートである。ＮＦＣコイル３のフレキシブル基板１４と磁性シート１３の外形は、ホルダー８の枠部８Ａの外形にほぼ等しく、枠部８Ａの表面に接着して固定される。ＮＦＣコイル３の内形は、受電コイル１の外形よりも大きくしており、図４に示すように、ＮＦＣコイル３と受電コイル１との間に隙間１２を設けている。ＮＦＣコイル３と受電コイル１との隙間１２は、１ｍｍ以上とすることができるが、好ましくは２ｍｍとする。この隙間１２を大きくして、ＮＦＣコイル３の受電コイル１に対するＳＮ比を改善できる。
【００３５】
図５のパック電池１０は、受電コイル１を磁性シート１１を介して薄型電池２Ａの表面側に接着して、ＮＦＣコイル３をホルダー８の枠部８Ａと磁性シート１３とを介して薄型電池２Ａの表面側に接着して、受電コイル１をＮＦＣコイル３の内側に配置している。この構造は、受電コイル１とＮＦＣコイル３の両方を薄型電池２Ａの表面側に固定して、両者を同一平面に配置している。受電コイル１は大電流に耐えるように太い導線が使用されるので、受電コイル１はＮＦＣコイル３よりも厚く、また受電コイル１の磁性シート１１もＮＦＣコイル３の磁性シート１３よりも厚くなる。なお、磁性シートの機能が所望通りであるなら、受電コイル１の磁性シート１１とＮＦＣコイル３の磁性シート１３との厚さを同じにしても良い。ここで、受電コイル１とＮＦＣコイル３は、薄型電池２Ａの平面部２ａに固定されて、ほぼ同一平面に配置される。図に示すパック電池は、薄型電池２Ａの平面部２ａにホルダー８の枠部８Ａを固定すると共に、この枠部８Ａの表面に磁性シート１３を介してＮＦＣコイル３を固定し、さらに、枠部８Ａの内側に磁性シート１１を介して受電コイル１を固定している。これにより、厚さの異なる受電コイル１とＮＦＣコイル３を薄型電池２Ａの表面側に配置しながら、受電コイル１の表面とＮＦＣコイル３の表面とを同一平面状に配置している。すなわち、薄型電池２Ａの平面部２ａに固定されるホルダー８の枠部８Ａによって、受電コイル１とＮＦＣコイル３の厚さの差、及び磁性シート１１、１３同士の厚さの差を吸収している。この構造は、薄型電池２Ａの平面部２ａの表面に固定されるホルダー８の枠部８Ａによって、受電コイル１とＮＦＣコイル３とを正確に位置決めしながら、厚さの異なる受電コイル１とＮＦＣコイル３の表面を同一平面に配置できる。
【００３６】
ＮＦＣコイル３を設けているフレキシブル基板１４は、外周の一部を突出させて、突出部１４ＡにＮＦＣコイル３に接続している一対の接続端子３ａを設けている。突出部１４Ａは、回路基板７の表面側に沿って直角に折曲されて、回路基板７の表面に接続端子３ａａを露出させている。この接続端子３ａは、図３に示すように、パック電池１０を携帯機器本体２０にセットする状態で、携帯機器本体２０の近距離無線通信回路４に接続される。
【００３７】
図５の分解斜視図に示すパック電池１０は、薄型電池２Ａにホルダー８を固定し、ホルダー８の固定部８Ｂに回路基板７を固定し、薄型電池２Ａの平面部２ａに磁性シート１１を介して受電コイル１を固定し、さらにホルダー８の枠部８Ａに磁性シート１３を介してＮＦＣコイル３を固定して電池組立１９とし、この電池組立１９を外装ケース１５に入れ、ラベル１６を貼って組み立てられる。外装ケース１５は、片面を開口する箱形にプラスチックを成形しており、ひとつの周壁１５Ａに、回路基板７に固定している出力端子９を露出させる開口窓１５ａと、フレキシブル基板１４の突出部１４Ａに設けている接続端子３ａを露出させる開口窓１５ｂとを設けている。
【符号の説明】
【００３８】
１００…携帯機器
１…受電コイル                    １Ａ…平面コイル
２…内蔵電池                      ２Ａ…薄型電池
２ａ…平面部
２ｂ…電極端子面
３…ＮＦＣコイル                  ３Ａ…ループコイル
３ａ…接続端子
４…近距離無線通信回路
５…充電回路
６…伝送回路
７…回路基板
８…ホルダー                      ８Ａ…枠部
８Ｂ…固定部
９…出力端子
１０…パック電池
１１…磁性シート
１２…隙間
１３…磁性シート
１４…フレキシブル基板            １４Ａ…突出部
１５…外装ケース                  １５Ａ…周壁
１５ａ…開口窓
１５ｂ…開口窓
１６…ラベル
１９…電池組立
２０…携帯機器本体
２１…収納部
２２…閉塞蓋
３０…無接点充電台
３１…送電コイル
３２…交流電源
３３…制御回路
４０…近距離無線通信器
４３…ＮＦＣコイル
４４…近距離無線通信回路
【図１】
2014087188.tif 000003
【図２】
2014087188.tif 000004
【図３】
2014087188.tif 000005
【図４】
2014087188.tif 000006
【図５】
2014087188.tif 000007